(57)【要約】  本発明は、衣類処理装置のフレーム及び衣類処理装置に関する。衣類処理装置は、上下に重ねて設置される第１衣類処理槽及び第２衣類処理槽を含む。フレームは、第２衣類処理槽を載置するための下フレームを含む。下フレームの上部には上方へ延伸する上フレームが装着されており、前記第１衣類処理槽が上フレーム内に装着される。フレームを互いに独立した上下のフレームとすることで、フレーム部分の取り換えやメンテナンスを可能にするとの目的が実現される。また、第１衣類処理槽と第２衣類処理をそれぞれ対応するフレーム部分に然るべく装着することで、装置のモジュール化管理が実現される。これにより、同一の流れ生産ラインにおいて、第２衣類処理槽のみを有する装置と、第１及び第２衣類処理槽の双方を有する装置とを生産可能になるため、装置のモジュール化度合が向上し、生産コストが低下する。且つ、本発明は構造がシンプルであり、効果が著しく、利用普及に適している。【選択図】図１
2021517003.tif 000002
【特許請求の範囲】
【請求項１】
上下に重ねて設置される第１衣類処理槽及び第２衣類処理槽を含む衣類処理装置のフレームであって、
前記フレームは、前記第２衣類処理槽を載置するための下フレームを含み、前記下フレームの上部には上方へ延伸する上フレームが装着されており、前記第１衣類処理槽が前記上フレーム内に装着されることを特徴とするフレーム。
【請求項２】
前記下フレームは水平に設置される四角形のベースを含み、前記ベースの四隅には、上方へ垂直に延伸する縦梁がそれぞれ設けられており、中央補強部材を介して少なくとも一対の隣り合う前記縦梁を接続及び固定することで、前記第２衣類処理槽を装着するためのフレーム構造を規定し、
好ましくは、左右両側の隣り合う前記縦梁同士が、それぞれ左中央補強部材と右中央補強部材を介して固定接続され、
より好ましくは、前記左中央補強部材と前記右中央補強部材が対称に設けられることを特徴とする請求項１に記載の衣類処理装置のフレーム。
【請求項３】
前記上フレームは、前側寄りの左右両端に設けられた上方へ垂直に延伸する２本の上縦梁を含み、２本の前記上縦梁の下端はいずれも前記下フレームに固定接続され、２本の前記上縦梁の上部には後方へ延伸する上補強部材がそれぞれ接続されていることを特徴とする請求項２に記載の衣類処理装置のフレーム。
【請求項４】
前記上フレームの前記上縦梁の下端は、前記下フレームの前記中央補強部材及び／又は前記縦梁の上端に固定接続されることを特徴とする請求項３に記載の衣類処理装置のフレーム。
【請求項５】
前記上縦梁の下端は前記中央補強部材及び／又は前記縦梁の上端に然るべく密接し、且つ釘により固定接続され、
好ましくは、前記上縦梁の下端外側は前記中央補強部材の内側に然るべく密着し、且つ、上下に設置される２つのネジを密接箇所に接続することで、前記上縦梁と前記中央補強部材を固定接続することを特徴とする請求項４に記載の衣類処理装置のフレーム。
【請求項６】
前記上縦梁の上端には後方へ水平に屈曲するフランジが設けられており、前記上補強部材の端部が、前記フランジの上側に然るべく密着して載置されるとともに、ネジにより固定接続され、
好ましくは、前記上縦梁は、横断面が「Ｌ」型をなす２つの帯状の側板から構成され、２つの帯状の前記側板とは、それぞれ、前記フレームの前側に対し平行又は重なり合うように設置される前部側板と、前記フレームの側部に対し平行又は重なり合うように設置される側部側板であり、前記前部側板の上端には水平に延伸する開口が設けられており、前記側部側板の上端には水平に延伸する折れ線が設けられており、前記折れ線と前記開口は面一に設けられ、前記上縦梁の上端が前記折れ線周りに後方へ９０度屈曲することで、前記上縦梁の屈曲部が前記フランジを構成することを特徴とする請求項３に記載の衣類処理装置のフレーム。
【請求項７】
前記フランジは、前記上縦梁の前記前部側板の上端から後方へ水平に屈曲する水平フランジと、前記水平フランジの側部から下方へ垂直に屈曲する垂直フランジを含み、前記垂直フランジは、前記上縦梁の前記側部側板に然るべく密着するよう設置されるとともに、リベット接合により固定され、前記上補強部材の端部は前記水平フランジの上側に載置されて前記ネジで接続され、
好ましくは、前記水平フランジの端部が前記上縦梁から突出するよう設けられ、前記上補強部材の載置及び密着に供されるよう、前記水平フランジの後方への延伸長さは、前記上縦梁の前記側部側板の水平幅よりも大きいことを特徴とする請求項６に記載の衣類処理装置のフレーム。
【請求項８】
前記上補強部材は断面が「Ｌ」の帯状構造であり、前記上補強部材の両側の内壁が、それぞれ前記水平フランジの上側及び前記垂直フランジの外側に然るべく位置規制されるよう接触することを特徴とする請求項７に記載の衣類処理装置のフレーム。
【請求項９】
前記下フレームの後側には中央後方補強部材が更に設けられており、前記中央後方補強部材は水平に延伸しており、両端がそれぞれ後側の２本の前記縦梁の上部に固定接続され、
好ましくは、２つの上補強部材の後端は、それぞれ前記第１衣類処理槽の後固定プレートに接続され、前記後固定プレートの下端が前記下フレームに固定接続されることを特徴とする請求項１〜８のいずれか１項に記載の衣類処理装置のフレーム。
【請求項１０】
衣類を処理する第１衣類処理槽と第２衣類処理槽が設けられており、請求項１〜９のいずれか１項に記載のフレームが装着されていることを特徴とする衣類処理装置。
【請求項１１】
ヒートポンプシステム、フレーム、及び前記フレームに装着される装着台を含み、前記ヒートポンプシステムがコンプレッサと冷却ファンを含み、前記コンプレッサが前記装着台に装着される衣類処理装置であって、
前記冷却ファンは、前記フレームに固定されるとともに、前記コンプレッサに対向するよう設置されることを特徴とする衣類処理装置。
【請求項１２】
前記フレームは、前記衣類処理装置の側板を固定するための側部フレームを含み、前記冷却ファンが前記側部フレームに固定されることを特徴とする請求項１１に記載の衣類処理装置。
【請求項１３】
前記側部フレームは垂直に設置される２本の縦梁を含み、２本の前記縦梁の間には補強部材が接続されており、前記冷却ファンは、前記補強部材及び／又は前記縦梁に固定されることを特徴とする請求項１２に記載の衣類処理装置。
【請求項１４】
前記装着台のうち前記補強部材側には装着部が設けられており、前記コンプレッサが前記装着部に固定され、前記冷却ファンは、前記補強部材及び／又は前記縦梁に固定されるとともに、前記コンプレッサに対向するよう設置されることを特徴とする請求項１３に記載の衣類処理装置。
【請求項１５】
前記冷却ファンは、前記補強部材に設置されるとともに、前記コンプレッサに正対するよう設置され、
或いは、前記冷却ファンは、前記補強部材に設置されるとともに、前記コンプレッサとは位置をずらして設置され、前記冷却ファンの吸気面が前記コンプレッサに正対するよう設置されることを特徴とする請求項１３又は１４に記載の衣類処理装置。
【請求項１６】
前記フレーム内には、第１衣類処理槽と第２衣類処理槽が上下に装着されており、前記装着台は、前記フレーム内に固定されて前記第１衣類処理槽と前記第２衣類処理槽の間に位置し、前記装着台の中央部を前記第２衣類処理槽から退避するよう突出させることで退避部を形成しており、前記装着台のうち前記退避部の一方の側が平面構造をなすよう設けられて装着部を形成しており、前記コンプレッサは前記装着部に装着され、前記冷却ファンは、前記フレームのうち前記装着部側に位置する補強部材及び／又は縦梁に固定されることを特徴とする請求項１１〜１５のいずれか１項に記載の衣類処理装置。
【請求項１７】
前記冷却ファンは、固定フレームを介して前記フレームに固定され、前記固定フレームは、前記冷却ファンを装着する固定部と、前記補強部材及び／又は前記縦梁に接続及び固定される接続部を含み、前記固定部は、前記冷却ファンの吸気面が前記コンプレッサに正対して設置されるよう、前記コンプレッサに向かって傾斜して設けられることを特徴とする請求項１３〜１６のいずれか１項に記載の衣類処理装置。
【請求項１８】
前記固定フレームの前記接続部は前記固定部の両側に位置しており、一方が前記補強部材に接続及び固定されるとともに、他方が前記補強部材に接続される前部の前記縦梁に固定されることを特徴とする請求項１７に記載の衣類処理装置。
【請求項１９】
前記固定フレームはシート状構造をなしており、前記シート状構造の一部の表面が前記コンプレッサ側に向かって傾斜するよう突出することで、前記冷却ファンを固定するための前記固定部を形成することを特徴とする請求項１７又は１８に記載の衣類処理装置。
【請求項２０】
前記固定部の表面はＬ型構造をなしており、前記冷却ファンは四角形のプレート状構造をなしており、前記冷却ファンの隣り合う両側の辺縁がそれぞれ前記Ｌ型構造の２つの内側の辺縁に緊締部材を介して接続及び固定されることを特徴とする請求項１９に記載の衣類処理装置。
【請求項２１】
フレームと、前記フレーム内にそれぞれ装着される第１衣類処理槽及び第２衣類処理槽を含む衣類処理装置であって、
更に、ヒートポンプシステムと装着台を含み、前記装着台は、前記フレームに固定されるとともに、前記第１衣類処理槽と前記第２衣類処理槽の間に位置し、前記装着台は、部分的に突出した退避部と、平面をなすよう設けられる装着部を含み、前記ヒートポンプシステムはコンプレッサを含み、前記コンプレッサは前記装着台の前記装着部に固定されることを特徴とする衣類処理装置。
【請求項２２】
前記第１衣類処理槽と前記第２衣類処理槽は前記フレーム内に上下に装着され、前記退避部は、前記装着台のうち前記第２衣類処理槽の天井部の表面に対応して設けられる上方へ突出したアーチ型構造をなしており、前記アーチ型構造の少なくとも１つの辺が水平に延伸することで前記装着部を形成しており、前記コンプレッサが前記装着台の前記装着部に固定されることを特徴とする請求項２１に記載の衣類処理装置。
【請求項２３】
前記アーチ型構造の少なくとも１つの辺が水平に延伸することで、前記フレームの側面と平行に延伸する前記装着部が形成され、前記コンプレッサは、前記装着部の延伸方向に沿って水平に前記装着台内に装着されるか、或いは、前記コンプレッサは、前記装着部の延伸方向とは垂直に、前記装着台上に縦向きに装着されることを特徴とする請求項２２に記載の衣類処理装置。
【請求項２４】
前記コンプレッサは、固定プレートを介して垂直に前記装着台に固定されることを特徴とする請求項２１〜２３のいずれか１項に記載の衣類処理装置。
【請求項２５】
固定プレートは、プレート状本体と、前記プレート状本体に固定接続される固定支持脚を含み、前記固定支持脚を前記装着台に固定装着することで前記プレート状本体を一定の高さだけ上昇させ、前記コンプレッサは前記プレート状本体に装着されることを特徴とする請求項２４に記載の衣類処理装置。
【請求項２６】
前記コンプレッサの底部には底脚が設けられており、前記プレート状本体には、緊締部材によって前記コンプレッサの前記底脚を接続及び固定するために接続孔が開設されており、前記固定支持脚は、前記プレート状本体にそれぞれ接続される複数の接続片を含んでおり、各前記接続片は、前記プレート状本体の上部外側に向かって屈曲することで屈曲面を形成しており、各前記屈曲面には、前記装着台に接続及び固定するための接続孔が開設されていることを特徴とする請求項２５に記載の衣類処理装置。
【請求項２７】
前記プレート状本体は三角形構造をなしており、前記三角形構造の３つの角に接続孔がそれぞれ開設されており、各前記接続孔は、前記コンプレッサの３つの底脚にそれぞれ対応しており、緊締部材による接続及び固定に用いられ、前記固定支持脚は、前記三角形構造の３つ辺にそれぞれ接続される接続片を含んでおり、各前記接続片は、それぞれ前記三角形構造の上部外側に向かって屈曲することで屈曲面を形成しており、各前記屈曲面には、前記緊締部材によって前記装着台に接続及び固定するための接続孔が設けられていることを特徴とする請求項２５又は２６に記載の衣類処理装置。
【請求項２８】
前記コンプレッサの底脚は底端よりも高くなっており、前記プレート状本体の中央部には退避孔が開設されており、前記コンプレッサの底端は前記退避孔に当接し、前記退避孔が前記コンプレッサを支持することを特徴とする請求項２５〜２７のいずれか１項に記載の衣類処理装置。
【請求項２９】
前記装着部には前記退避孔に対応して内側に凹陥する構造が設けられ、前記内側に凹陥する構造の表面と前記コンプレッサの底端の間に隙間が隔てられることを特徴とする請求項２８に記載の衣類処理装置。
【請求項３０】
前記コンプレッサは、柱状の本体と、前記本体の一方の側に設けられる貯液タンクを含み、前記コンプレッサを前記プレート状本体に固定したときに前記貯液タンクの底端を回避するために、前記プレート状本体の周側の３つの前記屈曲面のうち１つの前記屈曲面の長さは他の２つの前記屈曲面よりも短くなっていることを特徴とする請求項２７〜２９のいずれか１項に記載の衣類処理装置。
【発明の詳細な説明】
【技術分野】
【０００１】
本発明は洗濯機の分野に関し、特に、２つの衣類処理槽を有する洗濯機のフレームに関し、更に、前記フレームを利用する衣類処理装置に関する。
【背景技術】
【０００２】
洗濯機は、家電製品として人々の生活に幅広く利用されている。洗濯機ハウジングにも様々なものが登場しており、一体構造のものもあれば、複数の部材からなる組立構造のものもある。しかし、一体構造の洗濯機ハウジングには、加工コストが嵩み、材料や性能に対する要求が高いとの欠点がある。また、複数の部材からなる組立構造の洗濯機ハウジングの多くには、接続方式に起因して、成型が難しく、強度に劣るとの課題が存在する。
【０００３】
洗濯機のハウジングは、いずれも一定の強度を持った支持フレームの外部をハウジングカバープレートで被覆してなる。一般的に、従来の洗濯機では、複数の支持ロッドで直方体の辺を構成して直方体を規定したあと、各支持ロッドの接触箇所を固定することで洗濯機のフレームを形成している。
【０００４】
例えば、特許文献１の洗濯機ハウジングの構造は、前面板、背面板、左側板及び右側板を含み、左上辺梁、上前梁及び右上辺梁から構成される上フレームと背面板の上部が固定接続される。また、左下辺梁、下前梁及び右下辺梁から構成される下フレームと背面板の底部が固定接続される。左上辺梁と左下辺梁の間には左側板が固定装着されており、上前梁と下前梁の間には前面板が固定装着されており、右上辺梁と右下辺梁の間には右側板が固定装着されている。
【０００５】
しかし、従来のフレームは、ダブルドラム洗濯機への応用時に提供する支持強度が不足しており、上下２つの回転槽に十分な装着支持強度を提供することができない。
【０００６】
上記に鑑みて、本発明を提案する。
【先行技術文献】
【特許文献】
【０００７】
【特許文献１】中国特許第２００９２０２４１０６２．６号明細書
【発明の概要】
【発明が解決しようとする課題】
【０００８】
本発明は、上下に配置される２つの衣類処理槽を効果的に支持し、全体の支持強度を向上可能とするために、衣類処理装置のフレームを提供することを目的とする。発明の目的を実現するために、以下の技術方案を用いる。
【課題を解決するための手段】
【０００９】
衣類処理装置のフレームであって、衣類処理装置は、上下に重ねて設置される第１衣類処理槽及び第２衣類処理槽を含む。フレームは、第２衣類処理槽を載置するための下フレームを含む。下フレームの上部には上方へ延伸する上フレームが装着されており、前記第１衣類処理槽が上フレーム内に装着される。
【００１０】
更に、下フレームは水平に設置される四角形のベースを含む。ベースの四隅には、上方へ垂直に延伸する縦梁がそれぞれ設けられており、中央補強部材を介して少なくとも一対の隣り合う縦梁を接続及び固定することで、第２衣類処理槽を装着するためのフレーム構造を規定する。好ましくは、左右両側の隣り合う縦梁同士が、それぞれ左中央補強部材と右中央補強部材を介して固定接続され、より好ましくは、左中央補強部材と右中央補強部材が対称に設けられる。
【００１１】
更に、上フレームは、前側寄りの左右両端に設けられた上方へ垂直に延伸する２本の上縦梁を含む。２本の上縦梁の下端はいずれも下フレームに固定接続され、２本の上縦梁の上部には後方へ延伸する上補強部材がそれぞれ接続されている。
【００１２】
更に、上フレームの上縦梁の下端は、下フレームの中央補強部材及び／又は縦梁の上端に固定接続される。
【００１３】
更に、上縦梁の下端は中央補強部材及び／又は縦梁の上端に然るべく密接し、且つ釘により固定接続される。好ましくは、上縦梁の下端外側は中央補強部材の内側に然るべく密着し、且つ、上下に設置される２つのネジを密接箇所に接続することで、上縦梁と中央補強部材を固定接続する。
【００１４】
更に、上縦梁の上端には後方へ水平に屈曲するフランジが設けられている。上補強部材の端部は、フランジの上側に然るべく密着して載置されるとともに、ネジにより固定接続される。好ましくは、上縦梁は、横断面が「Ｌ」型をなす２つの帯状の側板から構成される。２つの帯状の側板とは、それぞれ、フレームの前側に対し平行又は重なり合うように設置される前部側板と、フレームの側部に対し平行又は重なり合うように設置される側部側板である。前部側板の上端には水平に延伸する開口が設けられており、側部側板の上端には水平に延伸する折れ線が設けられている。前記折れ線と開口は面一に設けられ、上縦梁の上端が折れ線周りに後方へ９０度屈曲することで、上縦梁の屈曲部がフランジを構成する。
【００１５】
更に、前記フランジは、上縦梁の前部側板の上端から後方へ水平に屈曲する水平フランジと、水平フランジの側部から下方へ垂直に屈曲する垂直フランジを含む。前記垂直フランジは、上縦梁の側部側板に然るべく密着するよう設置されるとともに、リベット接合により固定される。上補強部材の端部は水平フランジの上側に載置されてネジで接続される。好ましくは、水平フランジの端部が上縦梁から突出するよう設けられ、上補強部材の載置及び密着に供されるよう、水平フランジの後方への延伸長さは、上縦梁の側部側板の水平幅よりも大きい。
【００１６】
更に、上補強部材は断面が「Ｌ」の帯状構造であり、上補強部材の両側の内壁が、それぞれ水平フランジの上側及び垂直フランジの外側に然るべく位置規制されるよう接触する。
【００１７】
更に、下フレームの後側には中央後方補強部材が設けられている。中央後方補強部材は水平に延伸しており、両端がそれぞれ後側の２本の縦梁の上部に固定接続される。好ましくは、２つの上補強部材の後端は、それぞれ第１衣類処理槽の後固定プレートに接続され、後固定プレートの下端が下フレームに固定接続される。
【００１８】
本発明は、更に、衣類を処理する第１衣類処理槽と第２衣類処理槽が設けられており、前記いずれかのフレームが装着されている衣類処理装置について説明する。
【００１９】
好ましくは、衣類処理装置は、ヒートポンプシステム、フレーム、及びフレームに装着される装着台を含む。前記ヒートポンプシステムは、コンプレッサと冷却ファンを含み、前記コンプレッサが前記装着台に装着される。前記冷却ファンは、前記フレームに固定されるとともに、前記コンプレッサに対向するよう設置される。
【００２０】
上記の方案では、装着台の内部空間が小さいとの問題を考慮して、冷却ファンをフレームに固定することで装着台の装着空間を節約している。また、冷却ファンをフレームに固定することで、冷却ファンが衣類処理装置のハウジングにいっそう近接するため、通気効果が向上し、コンプレッサの温度低下に有利となる。
【００２１】
好ましくは、前記フレームは、衣類処理装置の側板を固定するための側部フレームを含み、前記冷却ファンが前記側部フレームに固定される。
【００２２】
上記の方案では、冷却ファンをフレームの側部フレームに装着するため、衣類処理装置のハウジングの側板に通気口を開設する。これにより、衣類処理装置の前面板に通気口を開設する必要がないため、装置の前面板の一体的構造が維持される。従って、前面板に一体感が備わり、前面板の見栄えにとって有利となることから、衣類処理装置の見栄え改善において明らかな向上作用が奏される。
【００２３】
好ましくは、前記側部フレームは垂直に設置される２本の縦梁を含む。２本の縦梁の間には補強部材が接続されており、前記冷却ファンは、前記補強部材及び／又は縦梁に固定される。
【００２４】
上記の方案において、フレームの両側にはそれぞれ側部フレームが設けられており、側部フレームごとに、２本の縦梁と、２本の縦梁を接続する補強部材が設けられている。前記冷却ファンは、フレームの一方の側の補強部材に固定される。
【００２５】
好ましくは、前記装着台のうち前記補強部材側には装着部が設けられており、前記コンプレッサが当該装着部に固定される。また、前記冷却ファンは、補強部材及び／又は縦梁に固定されるとともに、前記コンプレッサに対向するよう設置される。
【００２６】
上記の方案では、装着台のうち補強部材側に装着部が設けられるため、コンプレッサは装着台の辺縁位置に装着される。よって、冷却ファンによる温度低下に有利であるとともに、装着台の構造にも適している。
【００２７】
好ましくは、前記冷却ファンは、補強部材に設置されるとともに、前記コンプレッサに正対するよう設置される。
【００２８】
或いは、前記冷却ファンは、補強部材に設置されるとともに、コンプレッサとは位置をずらして設置され、前記冷却ファンの吸気面がコンプレッサに正対するよう設置される。
【００２９】
好ましくは、前記フレーム内には、第１衣類処理槽と第２衣類処理槽が上下に装着されており、前記装着台は、フレーム内に固定されて第１衣類処理槽と第２衣類処理槽の間に位置している。また、前記装着台の中央部を第２衣類処理槽から退避するよう突出させることで退避部を形成している。装着台のうち退避部の一方の側は平面構造をなすよう設けられ、装着部を形成している。前記コンプレッサは当該装着部に装着され、前記冷却ファンは、フレームのうち装着部側に位置する補強部材及び／又は縦梁に固定される。
【００３０】
上記の方案において、前記補強部材は、第２衣類処理槽のバネアセンブリを掛接及び接続するためにも用いられる。フレームの両側に位置する２つの補強部材には、第２衣類処理槽の両側の２つのバネアセンブリがそれぞれ掛接される。
【００３１】
好ましくは、前記冷却ファンは、固定フレームを介してフレームに固定される。前記固定フレームは、冷却ファンを装着する固定部と、補強部材及び／又は縦梁に接続及び固定される接続部を含む。前記固定部は、冷却ファンの吸気面がコンプレッサに正対して設置されるよう、コンプレッサに向かって傾斜して設けられる。
【００３２】
上記の方案において、冷却ファンがコンプレッサと位置をずらして装着される場合には、コンプレッサを当該固定部に装着したあとに、吸気面がコンプレッサに正対して設置されるよう、固定フレームの固定部をコンプレッサに向かって傾斜するよう設ける。
【００３３】
好ましくは、固定フレームの接続部は固定部の両側に位置しており、一方が補強部材に接続及び固定されるとともに、他方が前記補強部材に接続される前部の縦梁に固定される。
【００３４】
上記の方案では、冷却ファンの安定的な固定を実現するために、固定フレームは、コンプレッサと位置をずらして装着されるとともに、接続部を介して、フレームの前部の縦梁と、当該縦梁に接続される補強部材にそれぞれ接続される。当該構造によって、冷却ファンを安定的に固定可能にするとの効果が奏される。
【００３５】
好ましくは、前記固定フレームはシート状構造をなしており、シート状構造の一部の表面がコンプレッサ側に向かって傾斜するよう突出することで、冷却ファンを固定するための固定部を形成している。また、フレームのうち固定部の辺縁に位置する部分が接続部となる。
【００３６】
固定フレームの接続部はシート状構造をなしており、フレームの一方の側の側部フレームに密着及び固定されるとともに、当該側部フレームの表面と平行になる。前記固定部もまたシート状構造をなしており、シート状構造の表面がコンプレッサに向かって傾斜するよう設けられる。これにより、固定部の表面と接続部の表面とが一定の夾角をなすよう設けられるため、ファンが固定部に装着されると、フレームの側部フレームとの間に３°の夾角が形成される。
【００３７】
好ましくは、前記シート状構造の固定部の表面には、冷却ファンの形状と一致する開口が開設されており、前記冷却ファンが当該開口に装着及び固定される。好ましくは、前記固定部の表面はＬ型構造をなしている。また、冷却ファンは四角形のプレート状構造をなしており、隣り合う両側の辺縁がそれぞれＬ型構造の２つの内側の辺縁に緊締部材を介して接続及び固定される。
【００３８】
好ましくは、緊締部材によって冷却ファンを接続及び固定するために、前記固定部の表面における前記開口の辺縁には接続孔が開設されている。
【００３９】
更に、Ｌ型構造の固定部は、垂直方向に延伸する垂直面と、水平方向に延伸する水平面を含む。前記接続部は、前記垂直面と水平面にそれぞれ接続する第１接続面と第２接続面を含む。当該第１接続面はフレームの前部側の縦梁に接続及び固定され、第２接続面は当該縦梁に接続される補強部材に接続及び固定される。また、第１接続面と第２接続面の間で突出する固定部の表面に冷却ファンが装着される。
【００４０】
好ましくは、装着台は、部分的に突出した退避部と、平面をなすよう設けられる装着部を含む。前記ヒートポンプシステムはコンプレッサを含み、コンプレッサは前記装着台の装着部に固定される。
【００４１】
上記の方案において、装着台には、突出する退避部が底部の第２衣類処理槽に対応して設けられているが、当該退避部の設計はコンプレッサの装着及び固定にとって不利となる。そこで、本発明では、全く新しい装着台の構造に基づいて、コンプレッサの装着構造を適応的に改良した。これにより、コンプレッサの固定の安定性が保証されるとともに、装着台の装着空間の節約にもなる。
【００４２】
好ましくは、第１衣類処理槽と第２衣類処理槽はフレーム内に上下に装着される。前記退避部は、装着台のうち第２衣類処理槽の天井部の表面に対応して設けられる上方へ突出したアーチ型構造をなしている。そして、アーチ型構造の少なくとも１つの辺が水平に延伸することで前記装着部を形成しており、コンプレッサが前記装着台の装着部に固定される。
【００４３】
上記の方案では、装着台の中央位置に、底部の第２衣類処理装置から退避するために上方へ突出したアーチ型構造が設けられており、装着台のうちアーチ型構造の一方の辺を装着部としている。これにより、コンプレッサを装着台の辺縁位置に装着することで、コンプレッサの固定の安定性を保証するとともに、装着台上の装着空間を十分に活用している。前記装着部、アーチ型構造、第１衣類処理槽の３つによってコンプレッサを収容するための空間が規定される。
【００４４】
好ましくは、アーチ型構造の少なくとも１つの辺が水平に延伸することで、フレームの側面と平行に延伸する装着部が形成される。前記コンプレッサは、装着部の延伸方向に沿って水平に装着台内に装着される。或いは、コンプレッサは、装着部の延伸方向とは垂直に、装着台上に縦向きに装着される。
【００４５】
上記の方案では、フレームが、衣類処理装置の側板を固定するための側部フレームを含むことで前記フレームの側面を構成している。また、前記装着部の延伸方向は、２つの衣類処理槽の軸線と平行である。
【００４６】
好ましくは、前記コンプレッサは、固定プレートを介して垂直に装着台に固定される。
【００４７】
上記の方案において、装着部は装着台の辺縁位置に置かれる。即ち、２つの衣類処理槽の間において一方の側に位置するが、当該箇所の空間は比較的大きいため、十分にコンプレッサを当該空間内に設置及び固定可能である。且つ、コンプレッサを装着部に垂直に固定することで、装着部の空間の節約に有利となるため、装着部を更にその他の装置又は構造の取り付けにも利用可能となる。
【００４８】
好ましくは、固定プレートは、プレート状本体と、プレート状本体に固定接続される固定支持脚を含み、前記固定支持脚を装着台に固定装着することでプレート状本体を一定の高さだけ上昇させる。前記コンプレッサは前記プレート状本体に装着される。
【００４９】
上記の方案において、固定支持脚はプレート状本体を一定の高さだけ上昇させるため、コンプレッサが宙に浮いた状態で装着される。よって、コンプレッサの放熱に有利となる。
【００５０】
好ましくは、前記コンプレッサの底部には底脚が設けられている。前記プレート状本体には、緊締部材によってコンプレッサの底脚を接続及び固定するために接続孔が開設されている。また、前記固定支持脚は、プレート状本体にそれぞれ接続される複数の接続片を含んでいる。各接続片は、プレート状本体の上部外側に向かって屈曲することで屈曲面を形成しており、各屈曲面には、装着台に接続及び固定するための接続孔が開設されている。
【００５１】
上記の方案において、各固定支持脚は、プレート状本体の周側において装着部に固定されることで、プレート状本体に固定されたコンプレッサを安定的に固定する。
【００５２】
好ましくは、前記プレート状本体は三角形構造をなしており、三角形構造の３つの角に接続孔がそれぞれ開設されている。各接続孔は、コンプレッサの３つの底脚にそれぞれ対応しており、緊締部材による接続及び固定に用いられる。また、前記固定支持脚は、当該三角形構造の３つ辺にそれぞれ接続される接続片を含んでいる。各接続片は、それぞれ三角形構造の上部外側に向かって屈曲することで屈曲面を形成している。各屈曲面には、緊締部材によって装着台に接続及び固定するための接続孔が設けられている。
【００５３】
上記の方案では、プレート状本体を三角形としているため、空間の節約になるとともに、良好な固定効果も有する。
【００５４】
好ましくは、前記コンプレッサの底脚は底端よりも高くなっている。また、前記プレート状本体の中央部には退避孔が開設されている。コンプレッサの底端は当該退避孔に当接し、退避孔が前記コンプレッサを支持する。
【００５５】
上記の方案では、退避孔を設けることでコンプレッサの底部を支持しているため、コンプレッサに対し良好な固定支持効果が奏される。また、当該退避孔を設けてコンプレッサを支持することで、平面構造によりコンプレッサを支持する場合よりも優れた安定効果を有する。
【００５６】
好ましくは、前記装着部には前記退避孔に対応して内側に凹陥する構造が設けられ、内側に凹陥する構造の表面とコンプレッサの底端の間に隙間が隔てられる。これにより、コンプレッサの放熱に有利となる。
【００５７】
好ましくは、前記コンプレッサは、柱状の本体と、当該本体の一方の側に設けられる貯液タンクを含む。また、コンプレッサをプレート状本体に固定したときに前記貯液タンクの底端を回避するために、前記プレート状本体の周側の３つの屈曲面のうち１つの屈曲面の長さは他の２つの屈曲面よりも短くなっている。
【発明の効果】
【００５８】
上記の技術方案によれば、本発明は従来技術に対して以下の利点を有する。
【００５９】
フレームを互いに独立した上下のフレームとすることで、フレーム部分の取り換えやメンテナンスを可能にするとの目的が実現される。また、第１衣類処理槽と第２衣類処理をそれぞれ対応するフレーム部分に然るべく装着することで、装置のモジュール化管理が実現される。これにより、同一の流れ生産ラインにおいて、第２衣類処理槽のみを有する装置と、第１及び第２衣類処理槽の双方を有する装置とを生産可能になるため、装置のモジュール化度合が向上し、生産コストが低下する。
【００６０】
且つ、本発明は構造がシンプルであり、効果が著しく、利用普及に適している。
【図面の簡単な説明】
【００６１】
【図１】図１は、本発明の一実施例における衣類処理装置のフレーム構造を示す図である。
【図２】図２は、本発明の実施例の図１におけるＩ部分の拡大構造を示す図である。
【図３】図３は、本発明の実施例の図１におけるＩＩ部分の拡大構造を示す図である。
【図４】図４は、本発明の衣類処理装置のフレーム構造を示す図である。
【図５】図５は、本発明の一実施例における衣類処理装置の装着構造を示す図である。
【図６】図６は、本発明の一実施例における衣類処理装置を別の角度から見た装着構造を示す図である。
【図７】図７は、本発明の衣類処理装置のフレームと装着台の接続構造を示す図である。
【図８】図８は、図７のＡ部分の拡大図である。
【図９】図９は、本発明の衣類処理装置のフレーム構造を示す図である。
【図１０】図１０は、図９のＢ部分の拡大図である。
【図１１】図１１は、ベース上のコンプレッサとフレーム上の冷却ファンの組み合わせ図である。
【図１２】図１２は、固定フレーム構造を示す図である。
【図１３】図１３は、図１２の正面図である。
【図１４】図１４は、図１２の平面図である。
【図１５】図１５は、衣類処理装置の装着台の構造を示す図である。
【図１６】図１６は、装着台の平面図である。
【図１７】図１７は、固定プレートの平面図である。
【図１８】図１８は、固定プレートの立体構造を示す図である。
【発明を実施するための形態】
【００６２】
以下に、実施例を組み合わせて、本発明につき更に詳細に説明する。
【実施例１】
【００６３】
図４〜図６に示すように、本実施例では、衣類処理装置のフレーム構造について説明する。衣類処理装置は、フレーム１と、上下に設置される第１衣類処理槽及び第２衣類処理槽を含む。第１衣類処理槽と第２衣類処理槽の間には装着台３が設けられている。前記装着台３は、衣類処理装置のフレーム１に固定装着される。
【００６４】
水平に設置される装着台をフレームの中央部に固定装着することで、衣類処理装置の上下２つの衣類処理槽をそれぞれ異なるベースに然るべく装着可能としている。これにより、２つの衣類処理槽をそれぞれ効果的に支持し、固定装着可能にするとの目的が達せられる。また、第１衣類処理槽と第２衣類処理槽の間に第１衣類処理槽を支持及び固定するための装着台を設置し、２つの衣類処理槽を隔離している。これにより、２つの衣類処理槽の騒音や震動が分断され、共振が回避されることから、機器稼働時における過剰な騒音や過度に激しい震動が防止される。
【００６５】
本実施例において、前記フレーム１は、水平に設置される四角形のベース０３を含む。ベース０３の四隅には、上方へ垂直に延伸する縦梁１１がそれぞれ設けられており、左右両側の隣り合う２本の縦梁１１が、それぞれ中央補強部材０４を介して接続されている。また、前記装着台３が中央補強部材０４に固定装着される。フレームの左右両側の中央部に中央補強部材をそれぞれ設置することで、装着台に効果的な支持平面が提供されるため、装着台がしっかりとフレームに装着及び固定される。
【００６６】
本実施例において、装着台３は水平に延伸するシート状構造をなしており、装着台３の左右両側がそれぞれ対応する側の中央補強部材０４に然るべく載置されて、ネジにより固定接続される。
【００６７】
本実施例において、前記中央補強部材０４は、垂直面において水平方向に延伸する帯状のプレート材である。装着台３の左右の側壁は、それぞれ対応する側の中央補強部材０４の内側壁に然るべく密接し、且つ、対応する密接箇所に少なくとも１つのネジで固定接続される。
【００６８】
本実施例において、中央補強部材０４の中央部には、フレームの内部に向かって突出する支持プレス形状が設けられている。支持プレス形状は水平方向に延伸しており、装着台３の側部下壁が支持プレス形状の上側面に然るべく載置される。対向するよう突出する２つのプレス形状を中央補強部材に設けることで、装着台をプレス形状の上側面に容易に載置可能となり、装着台を予め位置決めして装着するとの目的が達成される。
【００６９】
本実施例において、２つの中央補強部材０４の前端には上方へ垂直に延伸する上縦梁０５が設けられている。上縦梁０５の下端は、中央補強部材０４及び／又は装着台３に固定接続される。
【００７０】
本実施例において、装着台３の前端には上槽前補強部材２６が装着されている。更に、上槽前補強部材２６は、２本の上縦梁０５にそれぞれ固定接続される。好ましくは、上槽前補強部材２６は、中央部から両端に向かってそれぞれ上方へ湾曲する円弧状のプレート材である。上槽前補強部材２６の中央部は装着台３の前端中央部に固定接続され、上槽前補強部材２６の両端は、それぞれ対応する側の上縦梁０５に固定接続される。
【００７１】
本実施例において、上縦梁０５は、横断面が「Ｌ」型の垂直に延伸する帯状のプレート材で構成される。上縦梁０５の下端内側は、装着台３側の対応する隅における外側壁に然るべく密接する。また、上縦梁０５の下端は、対応する側の中央補強部材０４に設置されている支持プレス形状に然るべく載置される。好ましくは、上縦梁０５は、装着台３の対応する密接箇所に少なくとも１つのネジで固定接続される。
【実施例２】
【００７２】
図１〜図３に示すように、本実施例では、衣類処理装置のフレームについて説明する。衣類処理装置は、上下に重ねて設置される第１衣類処理槽及び第２衣類処理槽を含む。フレーム１は、第２衣類処理槽を載置するための下フレーム１０１を含む。下フレーム１０１の上部には上方へ延伸する上フレーム１０２が装着されており、前記第１衣類処理槽が上フレーム１０２内に装着される。
【００７３】
フレームを互いに独立した上下のフレームとすることで、フレーム部分の取り換えやメンテナンスを可能にするとの目的が実現される。また、第１衣類処理槽と第２衣類処理をそれぞれ対応するフレーム部分に然るべく装着することで、装置のモジュール化管理が実現される。これにより、同一の流れ生産ラインにおいて、第２衣類処理槽のみを有する装置と、第１及び第２衣類処理槽の双方を有する装置とを生産可能になるため、装置のモジュール化度合が向上し、生産コストが低下する。
【００７４】
図１に示すように、本実施例において、下フレーム１０１は、水平に設置される四角形のベース０３を含む。ベース０３の四隅には、上方へ垂直に延伸する縦梁１１がそれぞれ設けられている。また、中央補強部材０４を介して少なくとも一対の隣り合う縦梁１１を接続及び固定することで、第２衣類処理槽を装着するためのフレーム構造を規定している。好ましくは、左右両側の隣り合う縦梁同士が、それぞれ左中央補強部材と右中央補強部材を介して固定接続され、より好ましくは、左中央補強部材と右中央補強部材が対称に設けられる。
【００７５】
本実施例において、上フレーム１０２は、前側寄りの左右両端に設けられた上方へ垂直に延伸する２本の上縦梁０５を含む。２本の上縦梁０５の下端はいずれも下フレーム１０１に固定接続され、２本の上縦梁０５の上部には後方へ延伸する上補強部材２７がそれぞれ接続されている。
【００７６】
本実施例において、上フレーム１０２の上縦梁０５の下端は、下フレーム１０１の中央補強部材０４及び／又は縦梁１１の上端に固定接続される。
【００７７】
図２に示すように、本実施例において、上縦梁０５の下端は中央補強部材０４及び／又は縦梁１１の上端に然るべく密接し、釘により固定接続される。好ましくは、上縦梁０５の下端外側は中央補強部材０４の内側に然るべく密着し、且つ、上下に設置される２つのネジを密接箇所に接続することで、上縦梁０５と中央補強部材０４を固定接続する。上縦梁の下端を中央補強部材に密着させて予め位置決めしたあと、ネジで締結して組み付け及び接続することで、上縦梁と下フレームとの組み付けの安定性及び装着効率が著しく向上する。
【００７８】
図３に示すように、本実施例において、上縦梁０５の上端には後方へ水平に屈曲するフランジ５０が設けられており、上補強部材２７の端部が、フランジ５０の上側に然るべく密着して載置されるとともに、ネジにより固定接続される。好ましくは、上縦梁０５は、横断面が「Ｌ」型をなす２つの帯状の側板から構成される。２つの帯状の側板とは、それぞれ、フレーム１の前側に対し平行又は重なり合うように設置される前部側板５１と、フレーム１の側部に対し平行又は重なり合うように設置される側部側板５２である。前部側板５１の上端には水平に延伸する開口が設けられており、側部側板５２の上端には水平に延伸する折れ線が設けられている。前記折れ線と開口は面一に設けられ、上縦梁０５の上端が折れ線周りに後方へ９０度屈曲することで、上縦梁の屈曲部がフランジ５０を構成する。
【００７９】
本実施例において、前記フランジ５０は、上縦梁０５の前部側板の上端から後方へ水平に屈曲する水平フランジ５３と、水平フランジの側部から下方へ垂直に屈曲する垂直フランジ５４を含む。前記垂直フランジ５４は、上縦梁０５の側部側板５２に然るべく密着するよう設置され、且つリベット接合により固定される。また、上補強部材２７の端部は水平フランジ５３の上側に載置され、ネジで接続される。好ましくは、水平フランジ５３の端部が上縦梁０５から突出するよう設けられ、上補強部材２７の載置及び密着に供されるよう、水平フランジ５３の後方への延伸長さは、上縦梁０５の側部側板５２の水平幅よりも大きい。
【００８０】
本実施例において、上補強部材２７は断面が「Ｌ」の帯状構造であり、上補強部材２７の両側の内壁が、それぞれ水平フランジ５３の上側及び垂直フランジ５４の外側に然るべく位置規制されるよう接触する。上補強部材を対応するフランジ部分に然るべく密着させて設置することで、上補強部材の組み付け支持点が強化されるため、装置全体の安定性が著しく向上する。
【００８１】
本実施例において、下フレーム１０１の後側には中央後方補強部材８が更に設けられている。中央後方補強部材８は水平に延伸しており、両端がそれぞれ後側の２本の縦梁１１の上部に固定接続される。
【００８２】
本実施例において、２つの上補強部材２７の後端は、それぞれ第１衣類処理槽の装着プレート２８に接続され、後固定プレートの下端が下フレームに固定接続される。上記のように設置することで、乾燥機能のみを備える上部の第１衣類処理槽を上フレーム内に然るべく装着するとともに、本体上部の後側の密封固定を保証する。これにより、第１衣類処理槽の後固定プレートが、補強部材を接続する機能と、フレームの一部を構成する機能とを兼ね備えることになる。
【実施例３】
【００８３】
図７〜図１７を参照して、本実施例は、ヒートポンプシステム、フレーム１、及びフレーム１に装着される装着台３を含む衣類処理装置を提供する。前記ヒートポンプシステムは、コンプレッサ２と冷却ファン５を含む。前記コンプレッサ２は前記装着台３に装着され、前記冷却ファン５は、前記フレーム１に固定されるとともに、前記コンプレッサ２に対向するよう設置される。
【００８４】
上記の方案では、装着台３の内部空間が小さいとの問題を考慮して、冷却ファン５をフレーム１に固定することで装着台３の装着空間を節約している。また、冷却ファン５をフレーム１に固定することで、冷却ファン５が衣類処理装置のハウジングにいっそう近接するため、通気効果が向上し、コンプレッサ２の温度低下に有利となる。
【００８５】
好ましくは、前記フレーム１は、衣類処理装置の側板を固定するための側部フレームを含み、前記冷却ファン５が前記側部フレームに固定される。
【００８６】
上記の方案では、冷却ファン５をフレーム１の側部フレームに装着するため、衣類処理装置のハウジングの側板に通気口を開設する。これにより、衣類処理装置の前面板に通気口を開設する必要がないため、装置の前面板の一体的構造が維持される。従って、前面板に一体感が備わり、前面板の見栄えにとって有利となることから、衣類処理装置の見栄え改善において明らかな向上作用が奏される。
【００８７】
好ましくは、前記側部フレームは垂直に設置される２本の縦梁１１を含む。２本の縦梁１１の間には補強部材１２が接続されており、前記冷却ファン５は、前記補強部材１２及び／又は縦梁１１に固定される。
【００８８】
上記の方案において、フレーム１の両側にはそれぞれ側部フレームが設けられており、側部フレームごとに、２本の縦梁１１と、２本の縦梁１１を接続する補強部材１２が設けられている。前記冷却ファン５は、フレーム１の一方の側の補強部材１２に固定される。
【００８９】
好ましくは、前記装着台３のうち前記補強部材１２側には装着部３２が設けられており、前記コンプレッサ２が当該装着部３２に固定される。また、前記冷却ファン５は、補強部材１２及び／又は縦梁１１に固定されるとともに、前記コンプレッサ２に対向するよう設置される。
【００９０】
上記の方案では、装着台３のうち補強部材１２側に装着部３２が設けられるため、コンプレッサ２は装着台３の辺縁位置に装着される。よって、冷却ファン５による温度低下に有利であるとともに、装着台３の構造にも適している。
【００９１】
好ましくは、前記冷却ファン５は、補強部材１２に設置されるとともに、前記コンプレッサ２に正対するよう設置される。
【００９２】
或いは、前記冷却ファン５は、補強部材１２に設置されるとともに、コンプレッサ２とは位置をずらして設置され、前記冷却ファン５の吸気面がコンプレッサ２に正対するよう設置される。
【００９３】
好ましくは、前記フレーム１内には、第１衣類処理槽と第２衣類処理槽が上下に装着されている。前記装着台３は、フレーム１内に固定されて第１衣類処理槽と第２衣類処理槽の間に位置している。また、前記装着台３の中央部を第２衣類処理槽から退避するよう突出させることで退避部３１を形成している。装着台３のうち退避部３１の一方の側は平面構造をなすよう設けられ、装着部３２を形成している。前記コンプレッサ２は当該装着部３２に装着され、前記冷却ファン５は、フレーム１のうち装着部３２側に位置する補強部材１２及び／又は縦梁１１に固定される。
【００９４】
上記の方案において、前記補強部材１２は、第２衣類処理槽のバネアセンブリを掛接及び接続するためにも用いられる。フレーム１の両側に位置する２つの補強部材１２には、第２衣類処理槽の両側の２つのバネアセンブリがそれぞれ掛接される。更に、当該補強部材１２は装着台との接続及び固定にも用いられる。
【００９５】
好ましくは、前記冷却ファン５は、固定フレーム１３を介してフレーム１に固定される。前記固定フレーム１３は、冷却ファン５を装着する固定部１３３と、補強部材１２及び／又は縦梁１１に接続及び固定される接続部を含む。前記固定部１３３は、吸気面がコンプレッサ２に正対して設置されるよう、コンプレッサ２に向かって傾斜して設けられる。
【００９６】
上記の方案において、冷却ファン５がコンプレッサ２と位置をずらして装着される場合には、コンプレッサ２を当該固定部１３３に装着したあとに、吸気面がコンプレッサ２に正対して設置されるよう、固定フレーム１３の固定部１３３をコンプレッサ２に向かって傾斜するよう設ける。
【００９７】
好ましくは、固定フレーム１３の接続部は固定部１３３の両側に位置しており、一方が補強部材１２に接続及び固定されるとともに、他方が前記補強部材１２に接続される前部の縦梁に固定される。
【００９８】
上記の方案では、冷却ファン５の安定的な固定を実現するために、固定フレーム１３は、コンプレッサ２と位置をずらして装着されるとともに、接続部を介して、フレーム１の前部の縦梁１１と、当該縦梁１１に接続される補強部材にそれぞれ接続される。当該構造によって、冷却ファン５を安定的に固定可能にするとの効果が奏される。
【００９９】
好ましくは、前記固定フレーム１３はシート状構造をなしており、シート状構造の一部の表面がコンプレッサ２側に向かって傾斜するよう突出することで、冷却ファン５を固定するための固定部１３３を形成している。また、フレーム１のうち固定部１３３の辺縁に位置する部分が接続部となる。
【０１００】
固定フレーム１３の接続部はシート状構造をなしており、フレーム１の一方の側の側部フレームに密着及び固定されるとともに、当該側部フレームの表面と平行になる。前記固定部１３３もまたシート状構造をなしており、シート状構造の表面がコンプレッサ２に向かって傾斜するよう設けられる。これにより、固定部１３３の表面と接続部の表面とが一定の夾角をなすよう設けられるため、ファンが固定部１３３に装着されると、フレーム１の側部フレームとの間に３°の夾角が形成される。
【０１０１】
好ましくは、前記シート状構造の固定部１３３の表面には、冷却ファン５の形状と一致する開口が開設されており、前記冷却ファン５が当該開口に装着及び固定される。好ましくは、前記固定部１３３の表面はＬ型構造をなしている。また、冷却ファン５は四角形のプレート状構造をなしており、隣り合う両側の辺縁がそれぞれＬ型構造の２つの内側の辺縁に緊締部材を介して接続及び固定される。
【０１０２】
好ましくは、緊締部材によって冷却ファン５を接続及び固定するために、前記固定部１３３の表面における前記開口の辺縁には接続孔が開設されている。
【０１０３】
更に、Ｌ型構造の固定部１３３は、垂直方向に延伸する垂直面と、水平方向に延伸する水平面を含む。前記接続部は、前記垂直面と水平面にそれぞれ接続する第１接続面１３１と第２接続面１３２を含む。当該第１接続面１３１はフレーム１の前部側の縦梁１１に接続及び固定され、第２接続面１３２は当該縦梁１１に接続される補強部材１２に接続及び固定される。また、第１接続面１３１と第２接続面１３２の間で突出する固定部１３３の表面に冷却ファン５が装着される。
【実施例４】
【０１０４】
図７〜図１８を参照して、本実施例２では、別の視点から本発明の衣類処理装置について記載する。本実施例２の衣類処理装置も同様に、フレーム１と、当該フレーム１内にそれぞれ装着される第１衣類処理槽及び第２衣類処理槽を含むとともに、ヒートポンプシステムと装着台３を更に含む。装着台３は、フレーム１に固定されるとともに、第１衣類処理槽と第２衣類処理槽の間に位置する。装着台３は、部分的に突出した退避部３１と、平面をなすよう設けられる装着部３２を含む。前記ヒートポンプシステムはコンプレッサ２を含み、コンプレッサ２は前記装着台３の装着部３２に固定される。
【０１０５】
上記の方案において、装着台３には、突出する退避部３１が底部の第２衣類処理槽に対応して設けられているが、当該退避部３１の設計はコンプレッサ２の装着及び固定にとって不利となる。そこで、本発明では、全く新しい装着台３の構造に基づいて、コンプレッサ２の装着構造を適応的に改良した。これにより、コンプレッサ２の固定の安定性が保証されるとともに、装着台３の装着空間の節約にもなる。
【０１０６】
好ましくは、第１衣類処理槽と第２衣類処理槽はフレーム１内に上下に装着される。前記退避部３１は、装着台３のうち第２衣類処理槽の天井部の表面に対応して設けられる上方へ突出したアーチ型構造をなしている。そして、アーチ型構造の少なくとも１つの辺が水平に延伸することで前記装着部３２を形成しており、コンプレッサ２が前記装着台３の装着部３２に固定される。
【０１０７】
上記の方案では、装着台３の中央位置に、底部の第２衣類処理装置から退避するために上方へ突出したアーチ型構造が設けられており、装着台３のうちアーチ型構造の一方の辺を装着部３２としている。これにより、コンプレッサ２を装着台３の辺縁位置に装着することで、コンプレッサ２の固定の安定性を保証するとともに、装着台３上の装着空間を十分に活用している。前記装着部３２、アーチ型構造、第１衣類処理槽の３つによってコンプレッサ２を収容するための空間が規定される。
【０１０８】
好ましくは、アーチ型構造の少なくとも１つの辺が水平に延伸することで、フレーム１の側面と平行に延伸する装着部３２が形成される。前記コンプレッサ２は、装着部３２の延伸方向に沿って水平に装着台３内に装着される。或いは、コンプレッサ２は、装着部３２の延伸方向とは垂直に、装着台３上に縦向きに装着される。
【０１０９】
上記の方案では、フレーム１が、衣類処理装置の側板を固定するための側部フレームを含むことで前記フレーム１の側面を構成している。また、前記装着部３２の延伸方向は、２つの衣類処理槽の軸線と平行である。
【０１１０】
好ましくは、前記コンプレッサ２は、固定プレート４を介して垂直に装着台３に固定される。
【０１１１】
上記の方案において、装着部３２は装着台３の辺縁位置に置かれる。即ち、２つの衣類処理槽の間において一方の側に位置するが、当該箇所の空間は比較的大きいため、十分にコンプレッサ２を当該空間内に固定可能である。且つ、コンプレッサ２を装着部３２に垂直に固定することで、装着部３２の空間の節約に有利となるため、装着部３２を更にその他の装置又は構造の取り付けにも利用可能となる。
【０１１２】
好ましくは、固定プレート４は、プレート状本体４１と、プレート状本体４１に固定接続される固定支持脚を含み、前記固定支持脚を装着台に固定装着することでプレート状本体４１を一定の高さだけ上昇させる。前記コンプレッサ２は前記プレート状本体４１に装着される。
【０１１３】
上記の方案において、固定支持脚はプレート状本体４１を一定の高さだけ上昇させるため、コンプレッサ２が宙に浮いた状態で装着される。よって、コンプレッサ２の放熱に有利となる。
【０１１４】
好ましくは、前記コンプレッサ２の底部には底脚２２が設けられている。前記プレート状本体４１には、緊締部材によってコンプレッサ２の底脚２２を接続及び固定するために接続孔が開設されている。また、前記固定支持脚は、プレート状本体４１にそれぞれ接続される複数の接続片を含んでいる。各接続片は、プレート状本体４１の上部外側に向かって屈曲することで屈曲面４２を形成しており、各屈曲面４２には、装着台３に接続及び固定するための接続孔が開設されている。
【０１１５】
上記の方案において、各固定支持脚は、プレート状本体４１の周側において装着部３２に固定されることで、プレート状本体に固定されたコンプレッサ２を安定的に固定する。
【０１１６】
好ましくは、前記プレート状本体４１は三角形構造をなしており、三角形構造の３つの角に接続孔がそれぞれ開設されている。各接続孔は、コンプレッサ２の３つの底脚２２にそれぞれ対応しており、緊締部材による接続及び固定に用いられる。また、前記固定支持脚は、当該三角形構造の３つ辺にそれぞれ接続される接続片を含んでいる。各接続片は、それぞれ三角形構造の上部外側に向かって屈曲することで屈曲面４２を形成している。各屈曲面４２には、緊締部材によって装着台３に接続及び固定するための接続孔が設けられている。
【０１１７】
上記の方案では、プレート状本体４１を三角形としているため、空間の節約になるとともに、良好な固定効果も有する。
【０１１８】
好ましくは、前記コンプレッサ２の底脚２２は底端よりも高くなっている。また、前記プレート状本体４１の中央部には退避孔４３が開設されている。コンプレッサ２の底端は当該退避孔４３に当接し、退避孔４３が前記コンプレッサ２を支持する。
【０１１９】
上記の方案では、退避孔４３を設けることでコンプレッサ２の底部を支持しているため、コンプレッサ２に対し良好な固定支持効果が奏される。また、当該退避孔を設けてコンプレッサ２を支持することで、平面構造によりコンプレッサ２を支持する場合よりも優れた安定効果を有する。
【０１２０】
好ましくは、前記装着部３２には前記退避孔４３に対応して内側に凹陥する構造が設けられ、内側に凹陥する構造の表面とコンプレッサ２の底端の間に隙間が隔てられる。これにより、コンプレッサ２の放熱に有利となる。
【０１２１】
好ましくは、前記コンプレッサ２は、柱状の本体と、当該本体の一方の側に設けられる貯液タンク２１を含む。また、コンプレッサ２をプレート状本体４１に固定したときに前記貯液タンク２１の底端を回避するために、前記プレート状本体４１の周側の３つの屈曲面４２のうち１つの屈曲面４２の長さは他の２つの屈曲面４２よりも短くなっている。
【０１２２】
なお、本発明における上記の実施例１及び実施例２に開示した技術方案は、組み合わせて新たな技術方案としてもよいし、それぞれを単独で実施してもよく、ここでは特に限定しない。
【０１２３】
上記実施例の実施方案は、更なる組み合わせ又は置き換えが可能である。また、実施例は本発明の好ましい実施例について述べたものにすぎず、本発明の構想及び範囲を限定するものではない。本発明の設計及び思想を逸脱しないことを前提に、当業者が本発明の技術方案について実施する各種の変形及び改良は、いずれも本発明の保護の範囲に属する。
【符号の説明】
【０１２４】
０３  ベース
０４  中央補強部材
０５  上縦梁
８  中央後方補強部材
２６  上槽前補強部材
２７  上補強部材
２８  後固定プレート
５０  フランジ
５１  前部側板
５２  側部側板
５３  水平フランジ
５４  垂直フランジ
１  フレーム
１１  縦梁
１２  補強部材
１３  固定フレーム
１３１  第１接続面
１３２  第２接続面
１３３  固定部
２  コンプレッサ
２１  貯液タンク
２２  底脚
３  装着台
３１  退避部
３２  装着部
４  固定プレート
４１  プレート状本体
４２  屈曲面
４３  退避孔
５  冷却ファン
【図１】
2021517003.tif 000003
【図２】
2021517003.tif 000004
【図３】
2021517003.tif 000005
【図４】
2021517003.tif 000006
2021517003.tif 000007
【図５】
2021517003.tif 000008
【図６】
2021517003.tif 000009
【図７】
2021517003.tif 000010
【図８】
2021517003.tif 000011
【図９】
2021517003.tif 000012
【図１０】
2021517003.tif 000013
【図１１】
2021517003.tif 000014
【図１２】
2021517003.tif 000015
【図１３】
2021517003.tif 000016
【図１４】
2021517003.tif 000017
【図１５】
2021517003.tif 000018
【図１６】
2021517003.tif 000019
【図１７】
2021517003.tif 000020
【図１８】
2021517003.tif 000021
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
上下に重ねて設置される第１衣類処理槽及び第２衣類処理槽を含む衣類処理装置のフレームであって、
前記フレームは、前記第２衣類処理槽を載置するための下フレームを含み、前記下フレームの上部には上方へ延伸する上フレームが装着されており、前記第１衣類処理槽が前記上フレーム内に装着されることを特徴とするフレーム。
【請求項２】
前記下フレームは水平に設置される四角形のベースを含み、前記ベースの四隅には、上方へ垂直に延伸する縦梁がそれぞれ設けられており、左右両側の隣り合う前記縦梁同士が、それぞれ中央補強部材を介して接続及び固定することで、前記第２衣類処理槽を装着するためのフレーム構造を規定することを特徴とする請求項１に記載の衣類処理装置のフレーム。
【請求項３】
前記上フレームは、前側寄りの左右両端に設けられた上方へ垂直に延伸する２本の上縦梁を含み、２本の前記上縦梁の下端はいずれも前記下フレームに固定接続され、２本の前記上縦梁の上部には後方へ延伸する上補強部材がそれぞれ接続されていることを特徴とする請求項２に記載の衣類処理装置のフレーム。
【請求項４】
前記上フレームの前記上縦梁の下端は、前記下フレームの前記中央補強部材及び／又は前記縦梁の上端に固定接続されることを特徴とする請求項３に記載の衣類処理装置のフレーム。
【請求項５】
前記上縦梁の上端には後方へ水平に屈曲するフランジが設けられており、前記上補強部材の端部が、前記フランジの上側に然るべく密着して載置されるとともに、ネジにより固定接続され、
好ましくは、前記上縦梁は、横断面が「Ｌ」型をなす２つの帯状の側板から構成され、２つの帯状の前記側板とは、それぞれ、前記フレームの前側に対し平行又は重なり合うように設置される前部側板と、前記フレームの側部に対し平行又は重なり合うように設置される側部側板であり、前記前部側板の上端には水平に延伸する開口が設けられており、前記側部側板の上端には水平に延伸する折れ線が設けられており、前記折れ線と前記開口は面一に設けられ、前記上縦梁の上端が前記折れ線周りに後方へ９０度屈曲することで、前記上縦梁の屈曲部が前記フランジを構成することを特徴とする請求項３に記載の衣類処理装置のフレーム。
【請求項６】
前記フランジは、前記上縦梁の前記前部側板の上端から後方へ水平に屈曲する水平フランジと、前記水平フランジの側部から下方へ垂直に屈曲する垂直フランジを含み、前記垂直フランジは、前記上縦梁の前記側部側板に然るべく密着するよう設置されるとともに、リベット接合により固定され、前記上補強部材の端部は前記水平フランジの上側に載置されて前記ネジで接続され、
好ましくは、前記水平フランジの端部が前記上縦梁から突出するよう設けられ、前記上補強部材の載置及び密着に供されるよう、前記水平フランジの後方への延伸長さは、前記上縦梁の前記側部側板の水平幅よりも大きいことを特徴とする請求項５に記載の衣類処理装置のフレーム。
【請求項７】
前記上補強部材は断面が「Ｌ」の帯状構造であり、前記上補強部材の両側の内壁が、それぞれ前記水平フランジの上側及び前記垂直フランジの外側に然るべく位置規制されるよう接触することを特徴とする請求項６に記載の衣類処理装置のフレーム。
【請求項８】
ヒートポンプシステム、フレーム、及び前記フレームに装着される装着台を含み、前記ヒートポンプシステムがコンプレッサと冷却ファンを含み、前記コンプレッサが前記装着台に装着される衣類処理装置であって、
前記冷却ファンは、前記フレームに固定されるとともに、前記コンプレッサに対向するよう設置されることを特徴とする請求項１〜７のいずれか１項に記載の衣類処理装置。
【請求項９】
前記フレームは、前記衣類処理装置の側板を固定するための側部フレームを含み、前記冷却ファンが前記側部フレームに固定されることを特徴とする請求項８に記載の衣類処理装置。
【請求項１０】
前記側部フレームは垂直に設置される２本の縦梁を含み、２本の前記縦梁の間には補強部材が接続されており、前記冷却ファンは、前記補強部材及び／又は前記縦梁に固定されることを特徴とする請求項９に記載の衣類処理装置。
【請求項１１】
前記フレーム内には、第１衣類処理槽と第２衣類処理槽が上下に装着されており、前記装着台は、前記フレーム内に固定されて前記第１衣類処理槽と前記第２衣類処理槽の間に位置し、前記装着台の中央部を前記第２衣類処理槽から退避するよう突出させることで退避部を形成しており、前記装着台のうち前記退避部の一方の側が平面構造をなすよう設けられて装着部を形成しており、前記コンプレッサは前記装着部に装着され、前記冷却ファンは、前記フレームのうち前記装着部側に位置する補強部材及び／又は縦梁に固定されることを特徴とする請求項１０に記載の衣類処理装置。
【請求項１２】
前記冷却ファンは、固定フレームを介して前記フレームに固定され、前記固定フレームは、前記冷却ファンを装着する固定部と、前記補強部材及び／又は前記縦梁に接続及び固定される接続部を含み、前記固定部は、前記冷却ファンの吸気面が前記コンプレッサに正対して設置されるよう、前記コンプレッサに向かって傾斜して設けられることを特徴とする請求項１０〜１１のいずれか１項に記載の衣類処理装置。
【請求項１３】
前記固定フレームの前記接続部は前記固定部の両側に位置しており、一方が前記補強部材に接続及び固定されるとともに、他方が前記補強部材に接続される前部の前記縦梁に固定されることを特徴とする請求項１２に記載の衣類処理装置。
【請求項１４】
フレームと、前記フレーム内にそれぞれ装着される第１衣類処理槽及び第２衣類処理槽を含む衣類処理装置であって、
更に、ヒートポンプシステムと装着台を含み、前記装着台は、前記フレームに固定されるとともに、前記第１衣類処理槽と前記第２衣類処理槽の間に位置し、前記装着台は、部分的に突出した退避部と、平面をなすよう設けられる装着部を含み、前記ヒートポンプシステムはコンプレッサを含み、前記コンプレッサは前記装着台の前記装着部に固定されることを特徴とする衣類処理装置。
【請求項１５】
前記第１衣類処理槽と前記第２衣類処理槽は前記フレーム内に上下に装着され、前記退避部は、前記装着台のうち前記第２衣類処理槽の天井部の表面に対応して設けられる上方へ突出したアーチ型構造をなしており、前記アーチ型構造の少なくとも１つの辺が水平に延伸することで前記装着部を形成しており、前記コンプレッサが前記装着台の前記装着部に固定されることを特徴とする請求項１４に記載の衣類処理装置。
【請求項１６】
前記コンプレッサは、固定プレートを介して垂直に前記装着台に固定されることを特徴とする請求項１４〜１５のいずれか１項に記載の衣類処理装置。
【請求項１７】
固定プレートは、プレート状本体と、前記プレート状本体に固定接続される固定支持脚を含み、前記固定支持脚を前記装着台に固定装着することで前記プレート状本体を一定の高さだけ上昇させ、前記コンプレッサは前記プレート状本体に装着されることを特徴とする請求項１６に記載の衣類処理装置。
【請求項１８】
前記コンプレッサの底部には底脚が設けられており、前記プレート状本体には、緊締部材によって前記コンプレッサの前記底脚を接続及び固定するために接続孔が開設されており、前記固定支持脚は、前記プレート状本体にそれぞれ接続される複数の接続片を含んでおり、各前記接続片は、前記プレート状本体の上部外側に向かって屈曲することで屈曲面を形成しており、各前記屈曲面には、前記装着台に接続及び固定するための接続孔が開設されていることを特徴とする請求項１７に記載の衣類処理装置。
【請求項１９】
前記プレート状本体は三角形構造をなしており、前記三角形構造の３つの角に接続孔がそれぞれ開設されており、各前記接続孔は、前記コンプレッサの３つの底脚にそれぞれ対応しており、緊締部材による接続及び固定に用いられ、前記固定支持脚は、前記三角形構造の３つ辺にそれぞれ接続される接続片を含んでおり、各前記接続片は、それぞれ前記三角形構造の上部外側に向かって屈曲することで屈曲面を形成しており、各前記屈曲面には、前記緊締部材によって前記装着台に接続及び固定するための接続孔が設けられていることを特徴とする請求項１７又は１８に記載の衣類処理装置。
【請求項２０】
前記コンプレッサの底脚は底端よりも高くなっており、前記プレート状本体の中央部には退避孔が開設されており、前記コンプレッサの底端は前記退避孔に当接し、前記退避孔が前記コンプレッサを支持することを特徴とする請求項１７〜１９のいずれか１項に記載の衣類処理装置。
【国際調査報告】
2021517003.tif 000022
2021517003.tif 000023
2021517003.tif 000024
2021517003.tif 000025
2021517003.tif 000026
2021517003.tif 000027